(57)【特許請求の範囲】
【請求項１】
帽体と、帽体内に設けられたハンモックと、帽体内に設けられ、且つ着用者の頭部を囲繞するヘッドバンドとを有する保安用ヘルメットに於いて、
（１）該ヘッドバンドが、ヘッドバンド主体部とヘッドバンド後部サポーターとからなり、
（２）該ヘッドバンド主体部は、鋸歯状突条部が形成された左側帯状端部と鋸歯状突条部が形成された右側帯状端部を有しており、
（３）該ヘッドバンド後部サポーターは、帯状部と鋸歯状突条部が形成された左側係合部と鋸歯状突条部が形成された右側係合部を有しており、
（４）該鋸歯状突条部が形成された左側帯状端部の幅方向両側端部であって鋸歯状突条部が形成された面とは反対側の面及び該鋸歯状突条部が形成された右側帯状端部の幅方向両側端部であって鋸歯状突条部が形成された面とは反対側の面に、該帯状部に係合する鍵状の係合突部が形成され、
（５）該帯状部の幅方向両側端部には、該係合突部と係合する溝状の係合凹部が形成され、
（６）該ヘッドバンド主体部の左側帯状端部の鋸歯状突条部と該ヘッドバンド後部サポーターの左側係合部の鋸歯状突条部が係合し、該ヘッドバンド主体部の右側帯状端部の鋸歯状突条部と該ヘッドバンド後部サポーターの右側係合部の鋸歯状突条部が係合するとともに、該鍵状の係合突部と該溝状の係合凹部とが係合するようにされていることを特徴とする保安用ヘルメット。
【請求項２】
該ハンモック、該ヘッドバンド主体部及び該ヘッドバンド後部サポーターのそれぞれに、汗止めが着脱可能に取り付けられる請求項１に記載の保安用ヘルメット。
【発明の詳細な説明】
【０００１】
【発明の属する技術分野】
本発明は、作業現場、工事現場等で着用して頭部を保護する保安用ヘルメットに関する。
【０００２】
【従来の技術】
帽体と、帽体内に設けられたハンモックと、帽体内に設けられ、且つ着用者の頭部を囲繞するヘッドバンドとを有する保安用ヘルメットが使用されている。
【０００３】
従来の保安用ヘルメットは、ヘッドバンドの一端に連設された孔とヘッドバンドの他端に設けられた突起とを嵌め合わせてヘッドバンドのサイズを着用者の頭部の大きさに合わせた調整していた。しかしながら、この方法は、ヘッドバンドのサイズが着用者の頭部の大きさに適合するまで孔と突起との嵌合位置を変えては保安用ヘルメットを被り直さなければならない為に手間が掛かった。
【０００４】
【発明が解決しようとする課題】
本発明者等は、保安用ヘルメットを頭部に着用したままヘッドバンドのサイズを着用者の頭部の大きさに合わせて容易に調整することができる保安用ヘルメットについて研究を進めた結果、本発明に到達した。
【０００５】
【課題を解決するための手段】
本発明は、帽体と、帽体内に設けられたハンモックと、帽体内に設けられ、且つ着用者の頭部を囲繞するヘッドバンドとを有する保安用ヘルメットに於いて、ヘッドバンドがヘッドバンド主体部と、ヘッドバンド主体部の左側帯状端部及び右側帯状端部を係合させたヘッドバンド後部サポーターとから成り、ヘッドバンド主体部の左側帯状端部に形成された鋸歯状突条部をヘッドバンド後部サポーターの左側係合部に形成された鋸歯状突条部に歯の向きを逆向きにして噛み合わせるとともにヘッドバンド主体部の右側帯状端部に形成された鋸歯状突条部をヘッドバンド後部サポーターの右側係合部に形成された鋸歯状突条部に歯の向きを逆向きにして噛み合わせることにより、着用者の頭部の大きさに応じてサイズを調整し得るヘッドバンドが構成されていることを特徴とする保安用ヘルメットに関する。
【０００６】
本発明は、ヘッドバンド主体部が左側帯状端部と右側帯状端部とを有し、それぞれの帯状端部の外側面に鋸歯状突条部が形成され、且つヘッドバンド後部サポーターが帯状部と、該帯状部の左端付近にヘッドバンド主体部の左側帯状端部を挿入する間隙を介して帯状部の外側面に形成された左側係合部と、帯状部の右端付近にヘッドバンド主体部の右側帯状端部を挿入する間隙を介して帯状部の外側面に形成された右側係合部とを有し、それぞれの係合部の内側面に鋸歯状突条部が形成され、ヘッドバンド主体部の左側帯状端部に形成された鋸歯状突条部をヘッドバンド後部サポーターの左側係合部に形成された鋸歯状突条部に歯の向きを逆向きにして噛み合わせるとともにヘッドバンド主体部の右側帯状端部に形成された鋸歯状突条部をヘッドバンド後部サポーターの右側係合部に形成された鋸歯状突条部に歯の向きを逆向きにして噛み合わせる前記保安用ヘルメットに関する。
【０００７】
本発明は、ヘッドバンド主体部の左側帯状端部の内側面及び右側帯状端部の内側面にヘッドバンド後部サポーターの帯状部に係合する鍵状突部が形成されている前記保安用ヘルメットに関する。
【０００８】
本発明は、ハンモック、ヘッドバンド主体部及びヘッドバンド後部サポーターに着脱可能な汗止めが取り付けられている前記保安用ヘルメットに関する。
【０００９】
【発明の実施の形態】
以下、図面に従って本発明を説明する。
図１は本発明に係わる保安用ヘルメットの一例を示す分解斜視図であり、図２は図１に示した保安用ヘルメットの底面図であり、図３は図１に示した保安用ヘルメットに於けるヘッドバンド後部サポーター付近の平面図であり、図４及び図５は図１に示した保安用ヘルメットに於けるヘッドバンド後部サポーター付近の断面図である。
【００１０】
本発明に係わる保安用ヘルメットは、帽体１と、帽体１内に設けられたハンモック２と、帽体１内に設けられ、且つ着用者の頭部を囲繞するヘッドバンド３とを有している。
【００１１】
本発明に係わる保安用ヘルメットに於いて、帽体１の内面にはハンモック２の掛止具４を掛止める為の掛止受具５が形成されている。
本発明に係わる保安用ヘルメットに於いて、ハンモック２は、頂部６と、該頂部６から延びた脚部７とを有し、該脚部７の先端に設けられた掛止具４を帽体１の掛止受具５に掛止めることにより、帽体１内に取り付けられている。
【００１２】
ヘッドバンド３は、ヘッドバンド主体部８と、ヘッドバンド後部サポーター９とから成っている。
ヘッドバンド主体部８は、帯状主体部１０と、該帯状主体部１０から分岐した分岐部１１とを有し、該分岐部１１に形成されたボタン状突起部１２をハンモック２の脚部７に形成された孔部１３に嵌め込むことにより、ハンモック２に取り付けられている。ヘッドバンド主体部８の帯状主体部１０には、左側帯状端部１４の外側面に鋸歯状突条部１５が形成されるとともに右側帯状端部１４’の外側面に鋸歯状突条部１５’が形成され、且つ左側帯状端部１４の内側面の上下に鍵状突部１６が形成されるとともに右側帯状端部１４’の内側面の上下に鍵状突部１６’が形成されている。
【００１３】
ヘッドバンド後部サポーター９は、帯状部１７と、該帯状部１７の左端付近にヘッドバンド主体部８の左側帯状端部１４を挿入する間隙１８を介して帯状部１７の外側面に形成された左側係合部１９と、帯状部１７の右端付近にヘッドバンド主体部８の右側帯状端部１４’を挿入する間隙１８’を介して帯状部１７の外側面に形成された右側係合部１９’とを有し、且つ左側係合部１９の内側面に鋸歯状突条部２０が形成されるとともに右側係合部１９’の内側面に鋸歯状突条部２０’が形成されている。
【００１４】
本発明に係わる保安用ヘルメットに於いては、ヘッドバンド主体部８の左側帯状端部１４をヘッドバンド後部サポーター９の帯状部１７と左側係合部１９との間隙１８に通し、ヘッドバンド主体部８の右側帯状端部１４’をヘッドバンド後部サポーター９の帯状部１７と右側係合部１９’との間隙１８’に通し、左側帯状端部１４の外側面に形成された鋸歯状突条部１５と左側係合部１９の内側面に形成された鋸歯状突条部２０とを歯の向きを逆向きにして噛み合わせるとともに右側帯状端部１４’の外側面に形成された鋸歯状突条部１５’と右側係合部１９’の内側面に形成された鋸歯状突条部２０’とを歯の向きを逆向きにして噛み合わせている。
【００１５】
本発明に係わる保安用ヘルメットに於いては、ヘッドバンド主体部８の左側帯状端部１４の幅方向両側端部に形成された鍵状の係合突部１６をヘッドバンド後部サポーター９の帯状部１７の幅方向両側端部に形成された溝状の係合凹部１７’に係合させるとともに、ヘッドバンド主体部８の右側帯状端部１４’の幅方向両側端部に形成された鍵状の係合突部１６’をヘッドバンド後部サポーター９の帯状部１７の幅方向両側端部に形成された溝状の係合凹部１７’に係合させる構造となっている。これにより、ヘッドバンド主体部８の左側帯状端部１４及び右側帯状端部１４’を係合させたままヘッドバンド後部サポーター９の帯状部１７に沿って移動可能に固定することができるので、ヘッドバンド主体部８の左側帯状端部１４及び右側帯状端部１４’がブラブラすることがない。
【００１６】
本発明に係わるヘルメットに於いては、ハンモック２、ヘッドバンド主体部８及びヘッドバンド後部サポーター９に形成されたそれぞれの孔部２１にボタン状突起部２２を嵌め込むことにより、それぞれの汗止め２３を着脱可能に取り付けることができる。
【００１７】
帽体１は、ポリエチレン、ポリプロピレン、ポリカーボナート、ＡＢＳ樹脂等の合成樹脂によって形成することができる。
ハンモック２、ヘッドバンド主体部８及びヘッドバンド後部サポーター９は、ポリエチレン、ポリプロピレン等の合成樹脂によって形成することができる。
【００１８】
汗止め２３は、突起部２２を有するポリエチレン、ポリプロピレン等の合成樹脂製板状部に高吸水・高吸湿性繊維若しくは発泡ポリウレタンを縫製固着若しくは熱溶着することによって形成することができる。かかる汗止めが着脱自在に取り付けられているため、使用時に汗を良く吸収し、しかも取り外して洗濯が可能である。また、吸水、吸着の効果が低下した場合には取り替えることも容易である。
【００１９】
【発明の効果】
本発明に係わる保安用ヘルメットは、頭部に被った状態で図４に示すようにヘッドバンド主体部８の左側帯状端部１４及び右側帯状端部１４’をそれぞれヘッドバンド後部サポーター９の帯状部７に沿って矢印方向に引っ張ることにより、着用者の頭部の大きさに合わせてヘッドバンド３のサイズを容易に調整することができる。尚、ヘッドバンド後部サポーター９に汗止め２３を取り付けておくと、ヘッドバンド３のサイズを調整する際に着用者の頭髪がヘッドバンド３に巻き込まれることを防止することができる。また、ヘッドバンド主体部８とヘッドバンド後部サポーター９との係合を外すには、図５に示すように左側係合部１９に形成した突片２４を持ち上げて鋸歯状突条部１５と鋸歯状突条部２０との噛み合わせを外すとともに右側係合部１９’に形成した突片２４’を持ち上げて鋸歯状突条部１５’と鋸歯状突条部２０’との噛み合わせを外せばよい。
【図面の簡単な説明】
【図１】本発明に係わる保安用ヘルメットの一例を示す分解斜視図である。
【図２】図１に示した保安用ヘルメットの底面図である。
【図３】図１に示した保安用ヘルメットに於けるヘッドバンド後部サポーター付近の平面図である。
【図４】図１に示した保安用ヘルメットに於けるヘッドバンド後部サポーター付近の断面図である。
【図５】図１に示した保安用ヘルメットに於けるヘッドバンド後部サポーター付近の断面図である。
【符号の説明】
１  帽体
２  ハンモック
３  ヘッドバンド
８  ヘッドバンド主体部
９  ヘッドバンド後部サポーター
１４  左側帯状端部
１４’  右側帯状端部
１５、１５’  鋸歯状突条部
１６、１６’  鍵状の係合突部
１７  帯状部
１７’  溝状の係合凹部
１８、１８’  隙間
１９  左側係合部
１９’  右側係合部
２０、２０’  鋸歯状突条部
２３  汗止め
【図１】
0003928750.tif 000002
【図２】
0003928750.tif 000003
【図３】
0003928750.tif 000004
【図４】
0003928750.tif 000005
【図５】
0003928750.tif 000006